(57)【要約】      （修正有）【課題】液晶ディスプレイパネルにおけるビデオ画像シーケンスの処理方法及びこの方法を実行する装置であって、動画表示の質を向上させる。【解決手段】動作補完画像は、ｍを２以上として、且つｎ＞ｍとして、ｎ個数の連続する画像のグループを取得すべく、シーケンスのｍ個の連続する画像の各グループに関して生成される。ｎ個の連続する画像のグループは、ｍ個の連続する画像のグループを上記のシーケンスに置き換える。次に、新規のシーケンスの画像において現在のグレーレベルを有し次の画像において異なる標的となるグレーレベルを有する各ピクセルに関して、標的となるグレーレベルが、上記のピクセルの現在のグレーレベルよりも高いか低いかに依存した標的となるグレーレベルよりも高いか低い中間グレーレベルが演算される。次に、現在の画像において、ピクセルの現在のグレーレベルは、算出された挿入レベルに置き換えられる。【選択図】図５Ｄ
2005043875.tif 000002
【特許請求の範囲】
【請求項１】
画像ピクセルの表示をそれぞれ意図された複数のセルを備えた液晶ディスプレイパネルにおいてビデオ画像シーケンスを処理する方法であって：
ｍを２以上として、前記シーケンスのｍ個の連続する画像の各グループに関して、ｎ＞ｍとしてｎ個の連続する画像のグループを取得するように、少なくとも一つの動作補完された画像を生成し、且つ、前記のｎ個の連続する画像のグループにより、前記のｍ個の連続する画像のグループを前記シーケンスに置き換え；
新規のシーケンスの現在の画像において、現在のグレーレベルを有し、且つ、前記シーケンスの次の画像において、前記の現在のグレースケールとは異なる標的となるグレーレベルを有する各ピクセルに関して、前記の標的となるグレーレベルが、前記のピクセルの前記の現在のグレーレベルよりも高いか低いかに依存した前記の標的となるグレーレベルよりも高いか低い挿入グレーレベルを算出し；且つ
前記の現在の画像において、前記の次の画像において前記の現在のグレーレベルとは異なるグレーレベルを有する前記ピクセルの前記の現在のグレーレベルを、前記の算出された挿入レベルに置き換える；
ステップを有することを特徴とする方法。
【請求項２】
前記の生成された動作補完された画像は、前記のｍ個の画像のグループの画像間に導入され、及び／又は、前記のｍ個の連続する画像のグループの画像を置き換えることを特徴とする請求項１に記載の方法。
【請求項３】
２つの連続する画像の各グループに関して、一つの動作補完された画像が生成され、且つ、前記グループの前記の２つの画像の間に導入されることを特徴とする請求項２に記載の方法。
【請求項４】
２つの連続する画像の各グループに関して、２つの動作補完された画像が生成され、前記の２つの連続する画像の一つを置き換えることを特徴とする請求項２に記載の方法。
【請求項５】
ピクセルの前記挿入グレーレベルは、表示することを意図されたセルにより実際に表示されるグレーレベルが同一となるように、前記の標的となるグレーレベルに対して、前記の現在の画像のディスプレイフレームの実行を同定されることを特徴とする請求項１乃至４のいずれか一項に記載の方法。
【請求項６】
現在のグレーレベルＮＤから標的となるグレーレベルＮＣへと通過するピクセルの前記挿入グレーレベルＮＩは、以下の式
【数１】
2005043875.tif 000006
により算出されることを特徴とする請求項５に記載の方法。
【請求項７】
請求項１乃至６のいずれか一項に記載の方法を実行する装置であって：
動作補完中間画像を生成し、且つ、該画像を表示される画像シーケンスとする、モーションエスティメーター（１０）及び内挿ブロック（１１）；及び
前記シーケンスの現在の画像において現在のグレーレベルを有し、且つ、前記シーケンスの次の画像において、前記の現在のグレーレベルとは異なる標的となるグレーレベルを有する各ピクセルに関して、前記の標的となるグレーレベルが、前記ピクセルの現在のグレーレベルよりも高いか低いかにそれぞれ依存して、前記の標的となるグレーレベルよりも高いか低い挿入グレーレベルを算出する、且つ、前記の現在の画像において、前記の現在のグレーレベルとは異なる標的となるグレーレベルを有する前記ピクセルの前記現在のグレーレベルを、前記の算出された挿入レベルに置き換える、ブロック（１３）；
を備えていることを特徴とする装置。
【請求項８】
ビデオ画像シーケンスの表示を意図した液晶ディスプレイパネルであって：
画像ピクセルの表示をそれぞれ意図したセルのマトリックス；及び
前記のセルのマトリックス用のコントロール回路；
を備え、
前記パネルにより受信される前記ビデオ画像シーケンスを処理し、且つ、該処理されたシーケンスを前記のセルのマトリックス様の前記コントロール回路に供給する、請求項７に記載の装置をさらに備えていることを特徴とする液晶ディスプレイパネル。
【発明の詳細な説明】
【技術分野】
【０００１】
本発明は、液晶ディスプレイパネルにおけるビデオ画像シーケンスの処理方法及びこの方法を実行する装置に関する。
【背景技術】
【０００２】
液晶技術は、コスト削減に関して、より多くコンピューターモニター関連の分野にて使用されている。この技術の最近の進歩にて示唆されているのは、近い未来、液晶テレビセットが陰極線管テレビに取ってかわるであろうことである。しかしながら、この技術は、液晶の比較的長い反応時間による不利益を残している。このことは、画像を表示するコンピューターモニターにおける問題を構成していない。この結果は、他方、例えば、ビデオ応用の技術における動画の表示に関してかなりの問題をもたらしている。
【０００３】
本発明の目的の一つは、動画表示の質を向上させることにある。
【０００４】
以下、ＬＣＤ技術と略する液晶技術において、そのグレーレベルは、液晶セルに対して、画像の保持時間に所望のグレーレベルに比例する電圧を適用することにより得られる。この電圧が変化すると、セルは、即座に反応しない。統計的には、液晶分子の配向を改変するには数ミリ秒を必要とする。
【０００５】
スクリーンのリフレッシュ周波数よりも低い周波数にて変化する画像のコンテントの場合、この相対的に長い反応時間により発生される欠点は、知覚できないほどである。他方、例えばビデオ画像のような動画の場合、目により一時的な動揺（ｐｅｒｔｕｒｂａｔｉｏｎ）を起こす。画像フレームの保持時間の間のグレーレベル表示を構成するディスプレイのモードもまた、目により感知される一時的な動揺を発生する。
【０００６】
これらの動揺は、２つの連続するビデオフレームＮ及びＮ＋１に対するグレーレベル２５５とグレーレベル０との間の転移（ｔｒａｎｓｉｔｉｏｎ）を示す図１Ａ乃至１Ｃにより示されている。これら図において、縦軸は、時間軸を示し、横軸は、ピクセルを示している。図１Ａにおいて、二つのグレーレベル間の転移は固定されている。図１Ｂでは、この転移は、二つのフレーム間の左へと二つのピクセルまで動いており、図１Ｃでは、転移は、右まで二つのピクセルが動いている。セルの終点に適用された電圧の変化に対応する液晶セルの高い反応時間は、考慮されているビデオフレームを超えた余分な保持時間に関するこれらの状態を延長する。目は、一時的にこのグレーレベルを統合し、その後、図により示された斜線へと続く。なぜなら、目は、転移の動きを追う傾向にあるためである。その後、目は、図の底部におけるグラフにより示されたようなグレーレベルを知覚する。上記の統合の結果は、グレーレベル２５５と０との間の不鮮明な転移の表示により示される。この転移は、およそ３ピクセルの幅を示している。不鮮明な境界なるこの欠陥は、「ぼけ効果（ｂｌｕｒｒｉｎｇ  ｅｆｆｅｃｔ）」として公知である。
【０００７】
ディスプレイのモードにより発生されるこの欠陥は、図２Ａ乃至２Ｃにそれぞれ示されており、ディスプレイパネルのセルの高い反応時間により発生されるディスプレイの欠陥を有さず図１Ａ乃至１Ｃの転移を示している。ディスプレイのモードにより発生されるこの不鮮明な転移は、約２ピクセルの幅を示すことが分かる。
【０００８】
ディスプレイのモードにより発生される欠陥及びセルの高い反応時間により発生される欠陥を分離して修正する解決法が知られている。ディスプレイのモードにより発生されるこの欠陥を修正する公知の解決法の一つは、画像のディスプレイ周波数、或いは、画像周波数と呼ばれる周波数を増加することからなる。例えば、観察されるシーケンスの画像の各ペア、つまり、動作補完中間画像を発生することにより画像のディスプレイ周波数を倍化（ｄｏｕｂｌｅ）することが可能である。この中間画像は、二つのフレームＮとＮ＋１との間に表示され、その後、フレームの保持時間は、２つに分割される。図２Ａ乃至２Ｃを補完した図３Ａ乃至３Ｃは、この解決法を示している。フレームＮは、動揺の保持時間のサブフレームＮとサブフレームＮ＋１／２とに分割される。同様に、フレームＮ＋１は、サブフレームＮ＋１とサブフレームＮ＋３／２とに分割される。フレームＮ及びＮ＋１の間に表示された画像は、これからは、サブフレームＮ及びＮ＋１の間で表示され、動作補完中間画像は、サブフレームＮ＋１／２とＮ＋３／２との間で表示される。これら画像は、動作補完され、従って、転移は軽減される。
【０００９】
パネルのセルの高い反応時間により生じたこれらの欠陥を修正する公知の解決法は、いわゆる「オーバードライブ」技術を用いることからなる。この技術によると、開始のグレーレベルＮＤから標的となるグレーレベルＮＣへと通過すべく、標的レベルのＮＣに対応する電圧をこれに適用する前に、考慮されるピクセルの開始レベルＮＤが標的レベルよりも低いか高いかに依存する標的レベルＮＣよりも高いか低い挿入レベルＮＩに対応する電圧をセルに適用される。この技術は図４に示されている。この図は、標的レベルＮＣを開始レベルＮＤから時間の関数として到達させるべく、セルに適用される電圧レベルを示している。この例において、標的レベルＮＣは、開始レベルＮＤよりも高い。「オーバーライド」が存在しない場合、電圧レベルＶＮＤは、フレームＮの間セルに適用され、電圧レベルＶＮＣは、フレームＮ＋１の間、セルに適用される。このオーバードライブ技術は、セルが標的となるグレーレベルＮＣにより急速に到達するように、フレームＮの終わりにおいて又はフレームＮ＋１の始めにおいて、現在の場合における電圧レベルＶＮＣよりも高い電圧レベルＶＮＩをセルに適用することからなる。この電圧レベルＶＮＩは、保持時間Ｔ１に関して適用される。このレベルは、レベルＮＤとＮＣとの間の相違に依存する。この相違が増大すると、ＮＣ＞ＮＤである場合には、電圧レベルＶＮＩが高くなり、ＮＣ＜ＮＤである場合には、この電圧レベルは低くなる。
【００１０】
このチェインドット状の曲線は、挿入レベルＮＩが存在しない場合のセルの反応を示している。標的レベルＮＣはその後、保持時間Ｔ２の後にのみ到達される。この挿入レベルが存在する場合には、標的レベルは、Ｔ２よりもより低い保持時間Ｔ１の後に到達される。この利得は、破線の曲線により図４に示されている。
【００１１】
この技術の実施は、画像ディスプレイ周波数の倍化により向上される。これを行うため、画像のディスプレイフレームは、二つのサブフレームに分割される。第１のサブフレームの間、挿入レベルＮＩに対応する電圧がセルに適用され、且つ、第２サブフレームの間、標的レベルＮＣに対応する電圧が適用される。しかしながら、この技術は、ディスプレイのモードにより発生された欠陥を修正するのには動作不能である。
【００１２】
これら二つの技術の簡単な組み合わせは、広い様式における「ボケ効果」なる欠陥を修正することに関して認識されていてもよい。しかしながら、この簡単な組み合わせは、少なくとも、画像周波数を四倍化することが必要であり、つまり、第１時間において動作補完中間画像を生成すべく画像周波数を倍化し、その後、オーバードライブ技術を適用すべく、第２時間においてこれを倍化することが必要である。この画像ディスプレイ周波数の四倍化は、４倍速く機能させるべく、且つこのセルを４倍速くアドレスすべくパネルを行使し、これは、常に達成可能ではない。
【発明の開示】
【発明が解決しようとする課題】
【００１３】
本発明によると、特別な様式にて、画像周波数を四倍化することなくこれら二つの技術を組み合わせることを提案している。
【課題を解決するための手段】
【００１４】
本発明は、液晶ディスプレイパネルにおけるビデオ画像シーケンスの処理方法に関するものであって、複数のセルが画像ピクセルを表示することを意図されており、
ｍを２以上としてシーケンスのｍ個の連続する画像の各グループに関し、ｎ＞ｍとしてｎ個の連続する画像のグループを取得するように、考慮される画像ペアの画像間のシーケンスに導入される少なくとも一つの動作補完中間画像を生成し、且つ、上記のｎ個の連続する画像のグループにより上記のｍ個の連続する画像のグループを上記のシーケンスへと置き換え、
新規のシーケンスの現在の画像において現在のグレーレベルを有し且つシーケンスの次の画像において現在のグレーレベルとは異なる標的となるグレーレベルを有する各ピクセルに関し、上記の標的となるグレーレベルが上記のピクセルの現在のグレーレベルよりも高いか低いかに依存した標的となるグレーレベルよりも高いか低いかの挿入グレーレベルを算出し、
現在の画像において、次の画像において現在のグレーレベルとは異なるグレーレベルを有するピクセルの現在の画像を、上記にて算出された挿入レベルに置換する、
ステップを有することを特徴としている。
【００１５】
特定の実施例によると、単一の中間画像は、処理される画像シーケンスの画像の各ペアに関して生成される。ピクセルの挿入グレーレベルは、上記のピクセルを表示する意図のセルにより実際に表示されるグレーレベルが同一の様式にて、標的となるグレーレベルに対して、現在の画像の表示フレームの実行に関して決定される。
【００１６】
他の実施例によると、生成された動作補完画像は、上記のｍ個の連続する画像のグループのいくつかの画像を置き換える。例えば、２つの動作補完された画像が生成され、且つ、上記の２つの画像の一つを置き換える。
【００１７】
また、本発明は、上述の方法を実行する装置にも関する。この装置は：
動作補完中間画像を生成しこれらを表示される画像シーケンスとする、モーションエスティメーター及び内挿ブロック、及び
シーケンスの現在の画像において、現在のグレーレベルを有し、シーケンスの次の画像において現在のグレーレベルとは異なる標的となるグレーレベルを有する各ピクセルに関して、標的となるグレーレベルが、上記のピクセルの現在のグレーレベルよりも高いか低いかに依存した標的となるグレーレベルよりも高いか低い挿入グレーレベルを算出し、且つ、現在の画像において、現在のグレーレベルとことなる標的となるグレーレベルを有するピクセルの現在のグレーレベルを、上記にて算出された挿入レベルに置き換える、演算ブロック、
を有している。
【００１８】
また、本発明は、ビデオ画像シーケンスを表示することを意図した液晶ディスプレイパネルにも関しており、画像ピクセルの表示をそれぞれ意図したセルのマトリックス、セルのマトリックスに関するコントロール回路及びパネルにより受けるビデオ画像シーケンスを処理しセルのマトリックスに関して上記コントロール回路に処理されたシーケンスを供給する上述に定義した装置、を有している。
【発明の効果】
【００１９】
ディスプレイのモード及びＬＣＤパネルの高い反応時間に起因した「ぼけ効果」の修正を可能とする。
【発明を実施するための最良の形態】
【００２０】
本発明は、添付した図面に対する参考文を構成する以下の記述により、より良好に理解され、その他の特徴及び利点は明らかになるであろう。
【００２１】
本発明によると、動作補完及びオーバードライブにて画像周波数を増加する技術は、特定の工程に従って組み合わされる。
【００２２】
本発明の方法は、入力ビデオ信号の画像周波数を倍化する場合について最初に述べる。
【００２３】
本発明による表示方法は、以下のステップＥ１〜Ｅ３を有している：
（Ｅ１）：表示される画像シーケンスの連続した画像の各ペアに関して、少なくとも一つの動作補完中間画像を生成し；中間画像又は生成された画像は、考慮される画像のペアの画像間のシーケンスに導入され；このステップは、各画像の各ピクセルに関するモーションベクトルの演算を担当するモーションエスティメーターの使用並びにモーションベクトル及び考慮される画像のペアの画像の一つのピクセルのグレーレベルに基づき中間画像の生成を担当し且つ画像のシーケンスへの中間画像の導入を担当する内挿回路の使用を必要とする；
（Ｅ２）：送信されるシーケンスの現在の画像における現在のグレーレベル及びシーケンスの次の画像における標的となるグレーレベルＮＣを有する各ピクセルに関して、上記のレベルＮＤ及びＮＣが異なる場合、上述したオーバードライブ技術の実行に関して規定されたグレーレベルＮＩに対応する挿入グレーレベルを同定し、このグレーレベルは、標的となるグレーレベルが、上記のピクセルの現在のグレーレベルＮＤよりも高いか低いかにそれぞれ依存した上記の標的となるグレーレベルＮＣよりも低いか高く；この挿入レベルを算出する式が、上記の記述においてさらに提案される；
（Ｅ３）：現在の画像において、次の画像における現在のグレーレベルとは異なる標的となるグレーレベルＮＣを有するピクセルの現在のグレーレベルＮＤを、上記の挿入グレーレベルに置き換える；
ステップを有している。
【００２４】
従って、本発明によると、グレーレベルＮＤとグレーレベルＮＣとの転移の間、画像周波数を倍化することのないように、挿入グレーレベルＮＩのみが表示される。
【００２５】
本発明の方法は、それぞれ図５Ａ乃至５Ｃと比較された図５Ｄにより以下に示され、それぞれ、画像周波数を改変することのない常套的なディスプレイ、「オーバードライブ」によるディスプレイ及び動作補完中間画像を挿入したディスプレイを示している。
【００２６】
これらの図に関して、連続して、ＮＧ１＜ＮＧ２＜ＮＧ３＜ＮＧ４なる関係をそれぞれ有し、それぞれ、４個の連続した保持時間ＴのフレームＮ、Ｎ＋１、Ｎ＋２及びＮ＋３の、グレーレベル値ＮＧ１、ＮＧ２、ＮＧ３及びＮＧ４を取ったピクセルに関して考慮している。
【００２７】
図５Ａにて示したディスプレイの常套的な方法は、ピクセルの表示を担当するセルに、フレームＮの間、レベルＮＧ１に対応した電圧、その後、フレームＮ＋１の間、レベルＮＧ２に対応した電圧、その後、フレームＮ＋２の間、レベルＮＧ３に対応した電圧、最後に、フレームＮ＋３の間、レベルＮＧ４に対応した電圧、を適用することからなる。セルの反応時間を与えることにより、フレームの最初にセルにより表示される実際のグレーレベルは、所望のグレーレベルよりも低い。この欠陥は、破線の曲線にて図５Ａに示されている。
【００２８】
このシーケンスにオーバードライブ技術を適用することは、図５Ｂに示すように、画像シーケンスを倍化し、開始レベルＮＤと標的レベルＮＣとの間の転移の間、中間フレーム間において挿入電圧レベルＮＩを表示することからなる。この中間レベルＮＩは、開始レベルＮＤがレベルＮＣよりも低いか高いかにそれぞれ依存した標的レベルＮＣが高いか低いかの値を取る。従って、図５Ｂにおいて、中間レベルＮＩ１−２、ＮＩ２−３、ＮＩ３−４は、それぞれ、サブフレームＮ、Ｎ＋１、Ｎ＋２及びＮ＋３の間のサブフレームＮ＋１／２、Ｎ＋３／２及びＮ＋５／２のそれぞれのセルに適用される。セルに実際に表示されるグレーレベルは、この図において破線の曲線にて表示されている。分かるように、この技術は、セルの反応時間に関連した欠陥を修正することを可能としているが、ディスプレイのモードに関連した欠陥を修正することを可能にはしていない。
【００２９】
画像周波数を倍化することにより動作補完中間画像を生成することからなる技術の適用は、図５Ｃに示されている。この技術によると、中間レベルＮＧ１’、ＮＧ２’及びＮＧ３’が生成され、これらは、サブフレームＮ＋１／２、Ｎ＋３／２及びＮ＋５／２の間適用される。図５Ｃでは、レベルＮＧ１’、ＮＧ２’及びＮＧ３’は、通常、
【００３０】
【数２】
2005043875.tif 000003
とされている。サブフレームＮ＋１／２、Ｎ＋３／２及びＮ＋５／２の間の表示される画像は、さらに動作補完されている。破線の曲線は、セルにより実際に表示されるグレーレベルを示している。
【００３１】
本発明の方法は、図５Ｄに示されている。この方法は、図５Ｃの方法の各グレーレベルの転移に関して、オーバードライブ技術に従って挿入レベルを算出し且つ転移の開始レベルＮＤの表示に関して予約されたサブフレームの間にこれを表示することからなる。従って、ＮＧ１−ＮＧ１’なる転移に関して、挿入レベルＮＩ１−１‘を算出し、サブフレームＮの間これを表示する。また、ＮＧ１’−２、ＮＧ２’−２、ＮＧ２’−３、ＮＧ３’−３及びＮＧ３’−４についても同様に行う。算出された挿入レベルＮＩ１’−２、ＮＩ２’−２、ＮＩ２’−３、ＮＩ３’−３及びＮＩ３’−４ｎは、それぞれ、Ｎ＋１／２、Ｎ＋１、Ｎ＋３／２、Ｎ＋２及びＮ＋５／２の間それぞれ表示される。
【００３２】
開始レベルＮＤと標的レベルＮＣとの間の挿入レベルＮＩは、例えば、
【００３３】
【数３】
2005043875.tif 000004
の様に算出され、従って、
【００３４】
【数４】
2005043875.tif 000005
を得る。
【００３５】
図５Ｄにおける破線の曲線は、サブフレームＮ＋１／２、Ｎ＋１、Ｎ＋３／２、Ｎ＋２、Ｎ＋５／２、Ｎ＋３及びＮ＋７／２の間、セルにて実際に表示されるグレーレベルを示している。分かるように、この方法は、セルの高い反応時間に関連した欠陥を軽減することを可能としている。さらに、この中間画像は、動作補完されているので、ディスプレイのモードに関連した欠陥をも軽減することを可能としている。
【００３６】
上述の実施例において、画像周波数は倍化される。
【００３７】
変法において、本発明の方法は、画像周波数がちょうど増加され、倍化される必要がない場合について適用されてもよい。例えば、画像周波数は、５０Ｈｚから７０Ｈｚへと増加してもよい。その場合、２つの連続する画像の各グループに関して、２つの動作補完された画像が生成され、且つ、上記の２つの連続する画像の一つを置き換える。
【００３８】
より一般的には、生成された動作補完された画像は、入力ビデオ信号の連続する画像のグループ間に導入されてもよく、及び／又は、このグループの幾つかの画像を置き換えてもよい。
【００３９】
本発明の方法を実行する装置は、図６に示されている。この装置は、輝度信号Ｙ及びクロミナンス信号ＵＶを備えたコンポジットビデオ信号を受信する。このビデオ信号の画像周波数は、例えば、５０Ｈｚである。輝度信号Ｙは、二つの入力部を有するモーションエスティメーター１０に供給される。この信号は、一つの入力部において、フレームのシフトにて供給され、他の入力部においてはノーシフトにて供給される。モーションエスティメーター１０は、各画像の各ピクセルに関して、モーションベクトルの演算を担当しており、このモーションベクトルは、上記の画像と表示される次の画像との間のモーションを代表している。モーションエスティメーター１０が、考慮されるピクセルに関する二つの画像間のいずれのモーションも検知しない場合、この画像ピクセルに関連したモーションベクトルはゼロである。輝度信号Ｙ及びクロミナンス信号ＵＶは、モーションエスティメーター１０により演算されたモーションベクトルを受信もする内挿ブロック１１にさらに供給される。このブロックは、本発明の方法のステップＥ１を実行する。この目的に関して、モーションベクトル及びビデオ信号ＹＵＶに基づいて、動作補完中間画像を算出する。このブロックの出力部に供給される信号は、開始ビデオ信号の画像と中間画像とを有する１００Ｈｚの信号である。このＹＵＶ信号は、その後、コンバーター１２により液晶パネルのコントロール回路により利用可能な（赤色に関する成分Ｒ、緑色に関する成分Ｇ及び青色に関する成分Ｂを備えた）ＲＧＢ信号へと変換される。得られたＲＧＢ信号は、その後、本発明の方法Ｅ２及びＥ２の実行を担当するブロック１３により処理される。このブロックは、次の画像においてレベルの変化する各ピクセルに関する挿入レベルを演算し、各ピクセルに関して、現在のグレーレベルを演算された挿入グレーレベルに置き換える。従って、改変された画像は、その後、ブロック１３により供給された画像を表示する液晶ディスプレイパネルのコントロール回路１４に供給される。
【００４０】
ビデオ信号の画像の各ペアに関して、内挿ブロック１１において複数の中間画像を生成することを意図することも可能である。しかしながら、本発明の方法の利点は少ない。なぜなら、ディスプレイパネルのコントロール回路１４は、その後、１００Ｈｚ以上の表示周波数にて表示しなければならないからである。
【図面の簡単な説明】
【００４１】
【図１】液晶パネルの反応時間により生じた表示の欠陥と液晶パネルのディスプレイのモードを示している。
【図２】液晶パネルのディスプレイのモードに排他的に関連した表示の欠陥を示しである。
【図３】液晶パネルのディスプレイのモードにより生じた表示の欠陥の修正を意図した公知の解決法を示している。
【図４】液晶セルの反応時間を減少させる公知のオーバードライブ技術を示している。
【図５Ａ】常套的なディスプレイにおける、４つの画像に対して進行的にレベルを変化させるセルに適用された電圧レベルを示している。
【図５Ｂ】オーバードライブによる画像周波数の倍化における、４つの画像に対して進行的にレベルを変化させるセルに適用された電圧レベルを示している。
【図５Ｃ】動作補完による画像周波数の倍化における、４つの画像に対して進行的にレベルを変化させるセルに適用された電圧レベルを示している。
【図５Ｄ】図５Ａ乃至５Ｃと比較した、本発明の方法により、同じセルに適用された電圧レベルを示している。
【図６】本発明の方法を実行する装置のダイアグラムである。
【符号の説明】
【００４２】
１０    モーションエスティメーター
１１    内挿ブロック
１２    コンバーター
１３    ブロック
１４    コントロール回路
Ｙ      輝度信号
ＵＶ    クロミナンス信号
【図１】
2005043875.tif 000007
【図２】
2005043875.tif 000008
【図３】
2005043875.tif 000009
【図４】
2005043875.tif 000010
【図５Ａ】
2005043875.tif 000011
【図５Ｂ】
2005043875.tif 000012
【図５Ｃ】
2005043875.tif 000013
【図５Ｄ】
2005043875.tif 000014
【図６】
2005043875.tif 000015